(57)【特許請求の範囲】
【請求項１】
害虫を収容する容器と前記容器に設けられた蓋部材とを備えた害虫捕獲具であって、
前記容器は、開口から底部まで延びて形成されて捕獲時に害虫が停止している停止面に接触させる接触部と、前記接触部に対向して前記停止面から離隔した離隔部と、前記開口から前記底部まで延びて形成されて前記接触部及び前記離隔部の一方の側縁どうしを接続する一方の接続部と、前記開口から前記底部まで延びて形成されて前記接触部及び前記離隔部の他方の側縁どうしを接続する他方の接続部とを有し、
前記蓋部材は、一方の基端部が前記一方の接続部の前記開口側の端部に回転可能に支持され且つ他方の基端部が前記他方の接続部の前記開口側の端部に回転可能に支持されて自由端部が前記一方の接続部及び前記他方の接続部の前記開口側の端部どうしを通過する直線を回転中心として回転移動することにより、前記自由端部が前記接触部から離隔して前記開口が開放される開放位置と、前記自由端部が前記接触部に接触して前記開口が閉塞される閉塞位置との間を移動可能であり、前記開放位置に移動したときに前記自由端部が前記一方の基端部及び前記他方の基端部よりも前記底部側に配置された状態で支持される
ことを特徴とする害虫捕獲具。
【請求項２】
前記離隔部は、前記開口よりも前記底部側に設けられて前記開放位置に移動した前記蓋部材を支持する蓋支持部を有し、
前記蓋部材は、前記閉塞位置に移動した状態において前記開口の前記離隔部側を閉塞する部分から前記蓋支持部側に延びた状態で形成されて前記離隔部の前記開口側の端部から前記蓋支持部までの隙間を閉塞する閉塞部を有する
ことを特徴とする請求項１に記載の害虫捕獲具。
【請求項３】
前記離隔部は、紫外線を透過可能であり、
前記接触部は、前記離隔部を透過した紫外線を反射可能である
ことを特徴とする請求項１又は２に記載の害虫捕獲具。
【請求項４】
前記底部から前記開口の反対側に延びる延長部を更に備え、
前記容器は、前記延長部を介した使用者の操作によって、前記延長部が延びる方向と平行な直線と、前記接触部と前記離隔部とが直行する直線とのなす角度を変更可能である
ことを特徴とする請求項１乃至３の何れか１項に記載の害虫捕獲具。
【発明の詳細な説明】
【技術分野】
【０００１】
本発明は、害虫捕獲具に関する。
【背景技術】
【０００２】
従来より、カメムシ等の害虫を捕獲する害虫捕獲具が提案されている。
【０００３】
特許文献１、２では、漏斗状の開口部をペットボトルの口に装着したものが開示されている。また、特許文献３では、ペットボトルを切断して漏斗状の口側である開口部を底面側の容器に差し込んだものが開示されている。特許文献３では、容器と伸縮ポールとがシャフト、蝶ナット及びプレートによって接続されており、高所のカメムシも捕獲可能に構成されている。また、特許文献４では、四角錐状の容器の開口部（四角錐の底面部）にシャッタが設けられたものが開示されている。特許文献４では、四角錐の頭頂部に棒状のハンドルが支持されており、使用者は、ハンドルを介して虫との距離を確保しつつ、ハンドルを回転中心として容器を回転させることにより、シャッタを重力で開閉することが可能となっている。
【先行技術文献】
【特許文献】
【０００４】
【特許文献１】登録実用新案第３０９２４８０号公報
【特許文献２】特開２０１３−９４１４３号公報
【特許文献３】登録実用新案第３１４１２９２号公報
【特許文献４】特開平５−５０８５３６号公報
【発明の概要】
【発明が解決しようとする課題】
【０００５】
特許文献１〜３に記載の技術では、漏斗状の開口部から容器まで害虫を案内するときに害虫が逃げてしまう虞がある。また、特許文献４に記載の技術では、害虫が停まっている天井や壁に容器の開口部を押し当ててからハンドルを回転させてシャッタを閉じる必要があり、害虫が床面に停まっているときにはハンドルを回転させてもシャッタが閉まらないという問題があり、シャッタを手動で閉じたとしても床に停まった害虫を潰したり、床面とシャッタとの間の隙間に害虫が入り込んで容器内に収容できなかったりする虞がある。
【０００６】
本発明は、上述のような事情に鑑みてなされたものであり、害虫を捕獲し易い害虫捕獲具を提供することを目的とする。
【課題を解決するための手段】
【０００７】
上記目的を達成するため、本発明に係る害虫捕獲具は、
害虫を収容する容器と前記容器に設けられた蓋部材とを備えた害虫捕獲具であって、
前記容器は、開口から底部まで延びて形成されて捕獲時に害虫が停止している停止面に接触させる接触部と、前記接触部に対向して前記停止面から離隔した離隔部と、前記開口から前記底部まで延びて形成されて前記接触部及び前記離隔部の一方の側縁どうしを接続する一方の接続部と、前記開口から前記底部まで延びて形成されて前記接触部及び前記離隔部の他方の側縁どうしを接続する他方の接続部とを有し、
前記蓋部材は、一方の基端部が前記一方の接続部の前記開口側の端部に回転可能に支持され且つ他方の基端部が前記他方の接続部の前記開口側の端部に回転可能に支持されて自由端部が前記一方の接続部及び前記他方の接続部の前記開口側の端部どうしを通過する直線を回転中心として回転移動することにより、前記自由端部が前記接触部から離隔して前記開口が開放される開放位置と、前記自由端部が前記接触部に接触して前記開口が閉塞される閉塞位置との間を移動可能であり、前記開放位置に移動したときに前記自由端部が前記一方の基端部及び前記他方の基端部よりも前記底部側に配置された状態で支持される
ことを特徴とする。
【発明の効果】
【０００８】
本発明によれば、蓋部材の自由端部を開口側に押すだけで蓋部材が開放位置から閉塞位置に移動して開口を閉塞するため、床面に停止している害虫を容器内に収容してから開口を閉塞することができ、床面に停止している害虫を容器内に収容できない虞がある害虫捕獲具よりも害虫を捕獲し易くなる。
【図面の簡単な説明】
【０００９】
【図１】本発明の実施形態１に係る害虫捕獲具の構成例を示す全体図である。
【図２】（Ａ）蓋部材が開放位置に移動した捕獲具本体の斜視図、（Ｂ）蓋部材が開放位置に移動した捕獲具本体を右方から見た図である。
【図３】蓋部材が閉塞位置に移動した捕獲具本体を上方から見た図である。
【図４】本発明の実施形態２に係る害虫捕獲具の構成例を示す全体図である。
【図５】（Ａ）本体延長部が捕獲具本体を支持する角度を変更した状態を右方から見た図、（Ｂ）蓋部材が閉塞位置に移動した捕獲具本体及び被挟持部を上方から見た図である。
【発明を実施するための形態】
【００１０】
以下に、本発明を実施するための形態について図面を参照して詳細に説明する。なお、図中同一または相当する部分には同じ符号を付す。また、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、左方、右方、上方、下方、または、前側、後側、左側、右側、上側、下側とする。
【００１１】
（実施形態１）
図１は本発明の実施形態１に係る害虫捕獲具の構成例を示す全体図である。
図２（Ａ）は蓋部材が開放位置に移動した捕獲具本体の斜視図、図２（Ｂ）は蓋部材が開放位置に移動した捕獲具本体を右方から見た図である。
図３は蓋部材が閉塞位置に移動した捕獲具本体を上方から見た図である。
本発明の実施形態１に係る害虫捕獲具１は、図１〜図３に示すように、ヘラ（捕獲補助部材）２と、捕獲具本体３とを備える。
ヘラ２は、羽根４と、羽根４の根元の補強部５とを有する。本実施形態の羽根４は、黒色と茶色との混色の鳥の羽根によって構成されている。本実施形態では、羽根４の延びる方向の直線と補強部５の延びる方向の直線とのなす角度が１０°〜１５°の範囲となるように予め設定されている。
【００１２】
捕獲具本体３は、容器６と、蓋部材７とによって構成されている。
容器６は、箱形に形成されており、上面（離隔面、離隔部）８と、下面（接触面、接触部）９と、左側面（一方の接続面、一方の接続部）１０と、右側面（他方の接続面、他方の接続部）１１と、後面（底面、底部）１２とを有し、前面に開口１３が形成されている。また、底面１２の左右方向中央部には、後方に延びて各側面１０、１１と平行に形成された平板状の被挟持部１４が形成されている。被挟持部１４の後端縁は円弧状に形成されている。また、各側面１０、１１の前側上端部（一方の接続部の開口側の端部、他方の接続部の開口側の端部）には、左容器貫通孔１５及び右容器貫通孔１６が形成されている。
【００１３】
本実施形態の容器６は、下面９、各側面１０、１１、後面１２及び被挟持部１４が白色のプラスチックによって一体形成されている。また、上面８には、後端から前端部まで透明色の薄膜状のセロファン（セロハン）１７が各面９〜１２上端に貼り付けられており、上面８の前端からセロファン１７前端まで隙間１８が形成されている。また、上面８には、各側面１０、１１上端の隙間１８後端部を挟む位置に左蓋支持部１９及び右蓋支持部２０が設けられている。
また、本実施形態の容器６では、図２に示すように、上面８前端が下面９前端よりも後方に配置されており、各側面１０、１１は、上辺が下辺よりも短い台形板状に形成されている。この結果、本実施形態の開口１３は、後面１２と平行なＹＺ平面（図２（Ｂ）の１点鎖線参照）に対して上側が後方に傾斜した平面上に形成されている。なお、本実施形態では、図２（Ｂ）に示すように、開口１３が設けられた平面とＹＺ平面とのなす角度αが１０５°となるように予め設計されている。
【００１４】
蓋部材７は、開口１３の下端から上端部までを閉塞する平板状の蓋本体（自由端部）２１を有する。また、図１に示すように、蓋部材７が後述する閉塞位置に移動した状態において、蓋本体２１の上側の左右両端部には、後斜め上方に延びて各側面１０、１１の前側上端部の外方（左方及び右方）を覆う平板状の左連結部２２及び右連結部２３が形成されている。各連結部（一方の基端部、他方の基端部）２２、２３の中央部には、左蓋貫通孔２４及び右蓋貫通孔２５が形成されている。左側の各貫通孔１５、２４と右側の各貫通孔１６、２５とには、リング状の左留め具２６及び右留め具２７が貫通している。
【００１５】
なお、本実施形態では、各貫通孔１５、１６、２４、２５の直径は、各留め具２６，２７の円形状の断面の直径よりも大きく設定されている。この結果、蓋部材７は、左右方向に間隔を開けて設けられた各留め具２６、２７によって容器６と緩く連結され、各貫通孔１５、１６、２４、２５の位置を回転中心とする蓋本体２１の回転移動により、蓋部材７が開口１３を閉塞する閉塞位置（図１参照）と開口１３を開放する開放位置（図２参照）との間を移動可能となっている。なお、図２（Ｂ）に示すように、蓋部材７が開放位置に移動したときには、蓋本体２１の下端部（蓋部材７が閉塞位置に移動した状態における蓋本体２１の上端部）の左右両端部は、各蓋支持部１９、２０によって支持される。このとき、蓋本体２１は、ＹＺ平面に対して上側が各蓋支持部１９、２０よりも後方に傾斜した状態で支持されている。なお、本実施形態では、図２（Ｂ）に示すように、蓋本体２１とＹＺ平面とのなす角度βが１１０°となるように予め設計されている。
【００１６】
また、図１及び図３に示すように、蓋部材７が閉塞位置に移動した状態において、蓋本体２１の上端部には、セロファン１７の前方まで後斜め上方に延びる後延長部（閉塞部）２８が形成されており、蓋本体２１の右端部には、右側連結部２３の下方から右斜め後方に延びる右延長部（被操作部）２９が形成されている。
また、図２（Ａ）及び図２（Ｂ）に示すように、蓋部材７が開放位置に移動した状態における蓋本体２１の前面上端部（蓋部材７が閉塞位置に移動した状態における蓋本体２１の後面下端部）には、左右方向に延びる重量部材３０が支持されている。
【００１７】
次に、害虫捕獲具１による捕獲方法について具体的に説明する。
まず、害虫（例えば、カメムシ、蛾、ムカデ、蜂、蜘蛛、ゴキブリ等）を発見した使用者は、被挟持部１４を一方の手で把持したり左右両面を挟持したりすることにより、捕獲具本体３を支持し、蓋部材７を閉塞位置から開放位置に移動させる。このとき、使用者は、他方の手や他方の手で補強部５を把持したヘラ２で右延長部２９を押圧して蓋部材７を開放位置に移動させることが可能となっている。なお、本実施形態では、容器６と蓋部材７とはリング状の各留め具２６、２７で緩く連結されているため、使用者が容器６を蓋部材７の回転中心と直行する方向に振って蓋部材７を開放位置に移動させることも可能となっている。
【００１８】
次に、使用者は、害虫が停止している停止面（例えば、屋内であれば天井、壁面、床面、サッシ等）に下面９を接触させる。このとき、使用者が下面９全体を停止面に接触させずに、例えば、下面９の前端部（開口端部）のみを接触させる、即ち後側を離隔させる（浮かせる）ことも想定される。この場合、例えば、停止面が床面であっても床面に対して下面９を２０°まで傾斜させても蓋部材７が重力によって閉塞位置に戻らないようになっている（１１０−２０＝９０［°］）。
次に、使用者は、ヘラ２で害虫を容器６内に追い込んで収容する。なお、使用者は、下面９の前端部を接触させた状態で捕獲具本体３を害虫側にスライド移動させることにより、ヘラ２を用いずに容器６内に収容することも可能となっている。
【００１９】
そして、使用者は、蓋部材７を開放位置から閉塞位置に移動させる。このとき、使用者は、ヘラ２や他方の手で蓋本体２１を開口１３側に押圧して蓋部材７を閉塞位置に移動させることが可能となっている。
この結果、害虫を容器６内に収容して捕獲することができる。なお、捕獲した害虫を解放するときには、開口１３が下向きになるように捕獲具本体３を傾斜させて開口１３を開放して害虫を落下させればよい。このとき、害虫が容器６内に停まって落下しないときには、ヘラ２や他方の手で容器６を外方から叩いて害虫を落下させればよい。
【００２０】
以上説明したように本実施形態に係る害虫捕獲具１によれば、図１及び図２に示すように、蓋部材７が各貫通孔１５、１６、２４、２５の配置位置を回転中心とする蓋本体２１の回転移動によって閉塞位置と開放位置との間を移動可能になっている。
この結果、蓋部材７の蓋本体２１を開口１３側に押すだけで蓋部材７が開放位置から閉塞位置に移動して開口１３を閉塞するため、床面に停止している害虫であっても容器６内に収容して開口を閉塞することができ、床面に停止している害虫を容器内に収容できない虞がある特許文献１〜４に記載の害虫捕獲具よりも害虫を捕獲し易くすることができる。
【００２１】
特に、本実施形態に係る害虫捕獲具１によれば、図２に示すように、蓋部材７が開放位置に移動したときには、蓋本体２１が傾斜した状態で支持される。
この結果、床面に停止している害虫を捕獲するときに、下面９を床面に接触させても蓋部材７が閉塞位置に戻らないため、開口１３を開放した状態を維持できる。また、床面に対して下面９を傾斜させても蓋本体２１とＹＺ平面とのなす角度が９０°未満になるまで蓋部材７が閉塞位置に戻らないようにすることができる。さらに、害虫の捕獲時に被挟持部１４を挟持等して前斜め下方の上面８や開口１３近傍の下面９前端部や害虫等を見る使用者にとっては、蓋本体２１が使用者側の後斜め上方に延びた状態で配置されるので、使用者側に延びていない蓋本体（例えば、後方に延びて上面８全体を覆う状態で支持された蓋本体）よりも視界に占める蓋本体２１の面積が小さくなり、使用者の目障りになり難くなる。このため、害虫が更に捕獲し易くなる。
【００２２】
また、本実施形態に係る害虫捕獲具１によれば、図１及び図３に示すように、蓋部材７が閉塞位置に移動したときには、後延長部２８が上面８の隙間１８及び開口１３上端部（蓋本体２１が開口１３を閉塞していない隙間の部分）を閉塞するようになっている。
この結果、害虫を捕獲したときに容器の隙間が閉塞されない害虫捕獲具よりも捕獲した害虫が容器６の外に逃げることを低減できる。このため、害虫が更に捕獲し易くなる。
【００２３】
また、本実施形態に係る害虫捕獲具１によれば、図１及び図３に示すように、容器６の上面８には、透明色のセロファン１７が貼り付けられて光（例えば、屋外であれば日光、屋内であれば蛍光灯の照明光等）の紫外線が透過可能となっている。また、容器６の残りの各面９〜１２は、白色のプラスチックによって構成されてセロファン１７を透過したり隙間１８を通過したりして容器６内に進入した紫外線が反射可能となっている。
この結果、害虫を容器６内に収容するときに、使用者が容器６内を確認できるだけでなく、紫外線の光源に引き寄せられる習性がある害虫（例えば、カメムシ、蛾等）が、紫外線が進入しない容器や紫外線が進入しても反射しない容器よりも容器６内に入り易くなる。このため、害虫が更に捕獲し易くなる。
【００２４】
また、本実施形態に係る害虫捕獲具１によれば、図２（Ｂ）に示すように、開口１３が設けられた容器６の前面が傾斜している。
この結果、害虫の捕獲時に被挟持部１４を挟持等して上面８や開口１３近傍を見る使用者にとっては、前面が傾斜していない容器よりも開口１３近傍が見え易くなり、害虫を容器６内に追い込み易くなる。このため、害虫が更に捕獲し易くなる。
【００２５】
（実施形態２）
図４は本発明の実施形態２に係る害虫捕獲具の構成例を示す全体図である。
図５（Ａ）は本体延長部が捕獲具本体を支持する角度を変更した状態を右方から見た図、図５（Ｂ）蓋部材が閉塞位置に移動した捕獲具本体及び被挟持部を上方から見た図である。
実施形態２に係る害虫捕獲具３１は、図４及び図５に示すように、ヘラ２の補強部５から後方に延びる円柱状のヘラ延長部３２と、捕獲具本体３の被挟持部１４から後方に延びる円柱状の本体延長部３３とを更に備える。
【００２６】
本体延長部３３の前端部は、図５（Ｂ）に示すように、左右方向中央部から左右二股に分かれて形成された左挟持部３４と右挟持部３５とを有し、各挟持部３４、３５同士の間には、溝部３６が形成されている。溝部３６の左右方向の幅は、被挟持部１４の左右方向の幅に予め設定されており、被挟持部１４が溝部３６に進入して左右両面が各挟持部３４、３５同士の間に挟持されている。また、本実施形態では、被挟持部１４及び各挟持部３４、３５には、図示しない貫通孔が貫通して形成されており、貫通孔にはボルト３７が貫通してボルト３７には蝶ナット３８が螺子止めされている。すなわち、被挟持部１４及び各挟持部３４、３５は、左右方向に延びるボルト３７と蝶ナット３８とによって螺子止めされている。
【００２７】
この結果、捕獲具本体３は、ボルト３７及び蝶ナット３８によって本体延長部３３と連結され、図５（Ａ）に示すように、ボルト３７の位置を回転中心とする捕獲具本体３の回転移動により、本体延長部３３が伸びる直線と容器６の上面８や下面９等とのなす角度γを調節（変更）することが可能となっている。このとき、被挟持部１４の後端縁は円弧状に形成されているため、捕獲具本体３が回転移動しても被挟持部１４が各挟持部３４、３５以外の部分と接触せずに溝部３６の空間内で回転することが可能となっている。また、本実施形態では、被挟持部１４と各挟持部３４、３５との間の摩擦力に基づいて、ボルト３７及び蝶ナット３８による各挟持部３４、３５の螺子止めの強度（締め具合）を設定することにより、使用者が本体延長部３３をボルト３７と直行する方向に振ることによって角度γを調節することが可能となっている。
【００２８】
なお、害虫捕獲具３１による捕獲方法については、使用者が被挟持部１４に替えて本体延長部３３を一方の手で把持し、補強部５に替えてヘラ延長部３２を把持すること以外は実施形態１と同様であるが、本実施形態では、使用者が本体延長部３３を蓋部材７開放時よりも強く振って本体延長部３３と容器６の下面９とのなす角度γを調節することが可能となっている。なお、使用者は、他方の手や他方の手でヘラ延長部３２を把持したヘラ２で上面８や下面９を押圧して角度γを調節することも可能となっている。
【００２９】
以上説明したように本実施形態に係る害虫捕獲具３１によれば、図４及び図５に示すように、使用者は、各延長部３２、３３によってヘラ２及び捕獲具本体３を害虫から離れた位置で操作する。
この結果、使用者から離れた停止面（例えば、天井や壁面の天井近傍）に停まっている害虫を脚立や踏み台等を使用せずに捕獲したり、害虫に近付きたくない使用者が害虫から離れた位置で捕獲したりすることができる。このため、害虫が更に捕獲し易くなる。
【００３０】
また、本実施形態に係る害虫捕獲具３１によれば、本体延長部３３が延びる直線と下面９等とのなす角度γを調節することが可能となっている。
この結果、遊技者は、害虫捕獲時に本体延長部３３に対する捕獲具本体３の位置を都合良く調節できる。このため、害虫が更に捕獲し易くなる。
特に、本実施形態に係る害虫捕獲具３１によれば、使用者が本体延長部３３を蓋部材７開放時よりも強く振って角度γを調節することが可能となっている。
この結果、遊技者が他方の手やヘラ２で上面８や下面９を押圧して本体延長部３３を回転させて角度γを調節するよりも容易に角度γを調節できる。
【００３１】
なお、上記実施形態のヘラ２のように、害虫を容器６内に追い込み易くするために羽根４の延びる方向の直線と補強部５の延びる方向の直線とのなす角度を１０°〜１５°の範囲で設定することが好ましいが、上記角度については任意に変更可能である。
【００３２】
なお、上記実施形態では、ヘラ２を鳥の羽根４によって構成したが、羽根４と同様の弾性を有する任意の弾性体によって構成することも可能である。また、同系色を近付けても害虫が逃げ難いと考えられるため、上記実施形態のようにヘラ２を害虫の同系色となる黒色や茶色にすることが好ましいが、ヘラ２の色は任意に変更可能である。
【００３３】
なお、上記実施形態では、容器６を箱状としたが、容器６の形状は任意に変更可能であり、例えば、下面９のみが平板状の半円筒状としたり、円筒状としたり、四角形以外の多角形の筒状としたりしてもよい。
【００３４】
なお、上記実施形態のように、容器６の各面９〜１２を白色とし、セロファン１７を透明色とすることが好ましいが、これらの色は任意に変更可能である。但し、容器６内に紫外線が透過・進入して反射可能な限りにおいて、これらの色を変更することが好ましい。
【００３５】
なお、上記実施形態では、上面８をセロファン１７で覆っているが、例えば、セロファン１７よりも厚みがある透明色のガラスやプラスチックで覆うことによって力の強いムカデ等の害虫が上面８を突き破って逃げないようにしてもよい。
【００３６】
なお、上記実施形態では、開口１３が設けられた平面とＹＺ平面とのなす角度αを１０５°、蓋本体２１とＹＺ平面とのなす角度βを１１０°としたが、これらの角度は任意に変更可能である。但し、角度αについては開口１３近傍が見え易く且つ害虫が逃げ難い範囲で変更することが好ましく、角度βについては蓋本体２１が使用者の目障りにならない範囲で変更することが好ましい。また、角度βを調節する構成を設けてもよい。例えば、各容器貫通孔１５、１６を上下方向に間隔を開けて設けて蓋貫通孔２４、２５と各留め具２６、２７で連結する位置を調節することにより、角度βを調節可能としてもよい。
【００３７】
なお、上記実施形態では、セロファン１７の破損防止のため、上面８の前端部（各蓋支持部１９、２０）から前端までセロファン１７を貼らずに隙間１８を設けたが、セロファン１７の貼付範囲を拡大して隙間１８や開口１３の上端部の隙間を埋めるようしてもよい。この場合、後延長部２８を省略してもよい。
【００３８】
なお、上記実施形態では、閉塞位置に移動した蓋部材７を押圧して容器６内の害虫が逃げることを低減したり、開放位置に移動した蓋部材７の蓋本体２１を重力で動き難くしたりするために重量部材３０を設けているが、重量部材３０の位置は蓋部材７の開閉の妨げとならない範囲において任意に変更可能である、例えば、蓋部材７が閉塞位置に移動した状態における蓋本体２１の後面下端部に替えて前面下端部に設けてもよい。また、上記実施形態のように、重量部材３０を設けることが好ましいが、重量部材３０については省略可能である。なお、例えば、蓋部材７が閉塞位置に移動した状態における蓋本体２１の下端部を上端部よりも厚くすることで下端部を重くして重量部材３０を省略してもよい。
【００３９】
なお、上記実施形態では、蓋部材７の各連結部２２、２３が容器６の各側面１０、１１の前側上端部の外方を覆う構成としたが、例えば、各連結部２２、２３が容器６内に設けられる構成としてもよい。また、上記実施形態では、図３等に示すように、各連結部２２、２３と容器６と各留め具２６、２７で緩く連結したり、右連結部２３と右延長部２９とを一体形成したりするために各連結部２２、２３が後方に進むに連れて外方（左方及び右方）に延びて広がるように設計したが、外方に広がらないように形成してもよい。
【００４０】
なお、上記実施形態では、各留め具２６、２７をリング状としたが、各留め具２６、２７の形状や構成は任意に変更可能であり、例えば、各留め具２６、２７をボルト及びナットで構成してもよい。また、上記実施形態のように、各留め具２６、２７等を用いて容器６と蓋部材７とを連結して開口１３近傍の視界を遮らないようにすることが好ましいが、例えば、各貫通孔１５、１６、２４、２５に左右方向に延びる棒状の留め具を貫通させることによって容器６と蓋部材７とを連結してもよい。
【００４１】
なお、上記実施形態では、破損低減のために右延長部２９の延長方向を右斜め後方としたが、例えば、右延長部２９の延長方向を右方向としてもよい。また、上記実施形態では、右利きの使用者が右手や右手で使用するヘラ２で蓋部材７を開放し易くするために蓋本体２１の右端にのみ右延長部２９を設けたが、左利きの使用者やヘラ２を左手で使用する場合も考慮して蓋本体２１の左端に右延長部２９と同様の左延長部を設けてもよい。
【００４２】
なお、上記実施形態２では、ヘラ延長部３２及び本体延長部３３を所定の長さ（例えば、１ｍ程度）にあらかじめ設定したが、これらの長さは任意に設定可能であり、伸縮ポール等を用いて伸縮自在にしてもよい。なお、各延長部３２、３３は把持したときに滑らない程度に摩擦力が発生する材料（例えば、木材、プラスチック等）で作製することが好ましい。
【００４３】
なお、上記実施形態では、被挟持部１４及び各挟持部３４、３５がボルト３７と蝶ナット３８とによって螺子止めされているが、各挟持部３４、３５が被挟持部１４を挟持する強度を調節する構成については角度γが調節可能な限りにおいて任意に変更可能である。例えば、ボルト３７と蝶ナット３８に替えて蝶ボルトとナットとしてもよい。なお、角度γが調節可能であれば挟持する強度を調節する構成は省略可能であり、例えば、ボルト３７に替えて左右方向に延びるシャフトを貫通孔に貫通させるのみの構成であってもよい。
【００４４】
なお、上記実施形態の害虫捕獲具１、３１において、ヘラ２と捕獲具本体３との一方が紛失しない構成を設けてもよい。例えば、補強部５や被挟持部１４や各延長部３２、３３の後端部に貫通孔を空けて紐を通して、フック等に吊り下げて１カ所に保管できるようにしたり、カラビナで連結してヘラ２と捕獲具本体３との一方が紛失しないようにしたりしてもよい。
【００４５】
その他、上記実施形態に係る害虫捕獲具１、３１の構成は一例であり、本発明が解決しようとする課題を解決可能な限りにおいて任意に変更および修正が可能である。
【符号の説明】
【００４６】
１、３１  害虫捕獲具、２  ヘラ、３  捕獲具本体、４  羽根、５  補強部、６  容器、７  蓋部材、８  上面、９  下面、１０  左側面、１１  右側面、１２  後面、１３  開口、１４  被挟持部、１５  左容器貫通孔、１６  右容器貫通孔、１７  セロファン、１８  隙間、１９  左蓋支持部、２０  右蓋支持部、２１  蓋本体、２２  左連結部、２３  右連結部、２４  左蓋貫通孔、２５  右蓋貫通孔、２６  左留め具、２７  右留め具、２８  後延長部、２９  右延長部、３０  重量部材、３２  ヘラ延長部、３３  本体延長部、３４  左挟持部、３５  右挟持部、３６  溝部、３７  ボルト、３８  蝶ナット。
【要約】
【課題】害虫を捕獲し易くする。
【解決手段】蓋部材７は、各貫通孔１５、１６、２４、２５を貫通する各留め具２６、２７によって容器６と緩く連結されており、各貫通孔１５、１６、２４、２５の配置位置を回転中心とする蓋本体２１の回転移動によって容器６の開口１３を閉塞する閉塞位置と開口１３を開放する開放位置との間を移動可能になっている。蓋部材７は、開放位置に移動したときには、蓋本体２１が各蓋支持部１９、２０によって支持され、蓋本体２１の上側が各蓋支持部１９、２０よりも後方に傾斜した状態で支持される。
【選択図】図２【図１】
0005652686.tif 000002
【図２】
0005652686.tif 000003
【図３】
0005652686.tif 000004
【図４】
0005652686.tif 000005
【図５】
0005652686.tif 000006